【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
接続されていない液体吐出装置の液体の消費量を計算する液体消費量計算装置であって、
出力対象に関する情報を受け付ける入力部と、
前記液体吐出装置に対応するもので、前記出力対象を形成するための液体の吐出データを生成する吐出制御部と、
前記吐出データを解析する解析部と、
前記解析部により得られた情報を用いて、前記出力対象を形成した場合における液体の消費量を計算する計算部と、
前記計算部により得られた情報を用いて、出力情報を生成し出力する出力部と、を備える、液体消費量計算装置。
【請求項２】
請求項１記載の液体消費量計算装置であって、
前記吐出制御部は、
複数の異なる前記液体吐出装置に対応するもので、前記出力対象を形成するための液体の吐出データをそれぞれ生成するものであり、
前記解析部は、
前記液体吐出装置に対応した解析方法を用いて前記吐出データを解析する、液体消費量計算装置。
【請求項３】
請求項１または２記載の液体消費量計算装置であって、
前記入力部は、さらに、
前記液体吐出装置に対応するもので、前記出力対象が形成される際に用いられる条件に関する情報を受け付け、
前記吐出制御部は、
前記条件に基づいて前記吐出データを生成する、液体消費量計算装置。
【請求項４】
請求項１ないし３のいずれか一項記載の液体消費量計算装置であって、さらに、
前記液体吐出装置に対応する稼働条件に関する情報を受け付ける稼働条件入力部を備え、
前記計算部は、
前記稼働条件入力部が前記稼働条件に関する情報を受け付ける度に、前記解析部により得られた情報を用いて、前記稼働条件下で前記出力対象を形成した場合における前記液体の消費量を再計算し、
前記出力部は、
前記再計算により得られた情報を用いて、前記出力情報を再生成する、液体消費量計算装置。
【請求項５】
請求項４記載の液体消費量計算装置であって、
前記液体吐出装置は、往復移動しながら液体を吐出する液体吐出部を備えるものであり、
前記稼働条件には、少なくとも、
前記液体吐出装置において前記出力対象が形成される時間間隔を決定する情報が含まれ、
前記解析部は、
前記吐出データを解析することにより、前記出力対象を形成するために要する前記液体吐出部の往復数および液体吐出回数を計算し、
前記計算部は、
前記液体吐出部の往復数および前記時間間隔により決定される前記液体吐出部のクリーニングおよびフラッシングの回数と、前記液体吐出回数とに基づき前記液体の消費量を計算する、液体消費量計算装置。
【請求項６】
請求項１ないし５のいずれか一項記載の液体消費量計算装置であって、さらに、
前記吐出制御部に前記出力対象の吐出データの生成を指示する指示部を備える、液体消費量計算装置。
【請求項７】
請求項１ないし６のいずれか一項記載の液体消費量計算装置であって、
前記出力対象は画像であり、
前記出力情報には、
前記出力対象を前記液体吐出装置において形成した結果の予測を示す結果予測画像と、が含まれる、液体消費量計算装置。
【請求項８】
液体の消費量を計算する液体消費量計算システムであって、
液体吐出装置に接続されていない第１の装置と、
前記液体吐出装置に接続されていない第２の装置と、
を備え、
前記第１の装置は、
出力対象に関する情報を受け付ける入力部と、
前記液体吐出装置に対応するもので、前記出力対象を形成した場合における液体の消費量を計算する計算部と、
前記計算部により得られた情報を用いて、出力情報を生成し出力する出力部と、を含み、
前記第２の装置は、
前記液体吐出装置に対応するもので、前記出力対象を形成するための液体の吐出データの生成を指示する指示部と、
前記指示部からの指示に基づき、前記吐出データを生成する吐出制御部と、
前記吐出データを解析する解析部と、
を含み、
前記第１の装置は、前記入力部で受け取った前記出力対象に関する情報を、前記第２の装置に送信するとともに前記第２の装置における処理の開始を要求し、
前記第２の装置は、前記処理開始要求に基づき前記指示部が前記吐出制御部に指示して前記吐出データを生成し、前記解析部は、前記吐出データの解析後、解析結果を前記第１の装置へ送信し、
前記解析結果を受信した前記第１の装置の前記計算部は、前記解析結果を用いて、前記液体の消費量を計算する、液体消費量計算システム。
【請求項９】
液体消費量計算装置において、接続されていない液体吐出装置の液体の消費量を計算する液体消費量計算方法であって、
（ａ）出力対象に関する情報を受け付ける工程と、
（ｂ）前記液体吐出装置に対応するもので、前記出力対象を形成するための液体の吐出データを生成する工程と、
（ｃ）前記吐出データを解析する工程と、
（ｄ）前記工程（ｃ）における解析により得られた情報を用いて、前記出力対象を形成した場合における液体の消費量を計算する工程と、
（ｅ）前記工程（ｄ）における計算により得られた情報を用いて、出力情報を生成し出力する工程と、
を備える、液体消費量計算方法。
【請求項１０】
液体消費量計算装置において、接続されていない液体吐出装置の液体の消費量を計算するためのプログラムであって、
出力対象に関する情報を受け付ける入力機能と、
前記液体吐出装置に対応するもので、前記出力対象を形成するための液体の吐出データを生成する吐出制御機能と、
前記吐出データを解析する解析機能と、
前記解析機能により得られた情報を用いて、前記出力対象を形成した場合における液体の消費量を計算する計算機能と、
前記計算機能により得られた情報を用いて、出力情報を生成し出力する出力機能と、
を備える、プログラム。
【手続補正２】
【補正対象書類名】明細書
【補正対象項目名】０００７
【補正方法】変更
【補正の内容】
【０００７】
［適用例１］
接続されていない液体吐出装置の液体の消費量を計算する液体消費量計算装置であって、出力対象に関する情報を受け付ける入力部と、前記液体吐出装置対応するもので、前記出力対象を形成するための液体の吐出データを生成する吐出制御部と、前記吐出データを解析する解析部と、前記解析部により得られた情報を用いて、前記出力対象を形成した場合における液体の消費量を計算する計算部と、前記計算部により得られた情報を用いて、出力情報を生成し出力する出力部と、を備える、液体消費量計算装置。
この構成によれば、入力部から出力対象に関する情報の入力を受け付け、液体消費量計算装置内の各部において処理がなされた後、生成された液体吐出装置の液体の消費量に関する出力情報は出力部から出力される。すなわち、利用者は、入力部から出力対象に関する情報を入力すれば液体吐出装置の液体の消費量に関する出力情報を得ることができるため、液体吐出装置において使用される液体の消費量の計算結果を簡便に得ることが可能となる。
【手続補正３】
【補正対象書類名】明細書
【補正対象項目名】０００８
【補正方法】変更
【補正の内容】
【０００８】
［適用例２］
適用例１記載の液体消費量計算装置であって、前記吐出制御部は、複数の異なる前記液体吐出装置に対応するもので、前記出力対象を形成するための液体の吐出データをそれぞれ生成するものであり、前記解析部は、前記液体吐出装置に対応した解析方法を用いて前記吐出データを解析する、液体消費量計算装置。
この構成によれば、複数の異なる液体吐出装置において使用される液体の消費量を計算することができる。この結果、液体消費量計算装置の利便性を向上させることができる。
【手続補正４】
【補正対象書類名】明細書
【補正対象項目名】０００９
【補正方法】変更
【補正の内容】
【０００９】
［適用例３］
適用例１または２記載の液体消費量計算装置であって、前記入力部は、さらに、前記液体吐出装置に対応するもので、前記出力対象が形成される際に用いられる条件である出力条件関する情報を受け付け、前記吐出制御部は、前記条件に基づいて前記吐出データを生成する、液体消費量計算装置。
この構成によれば、出力条件に従って生成された吐出データをもとにして液体の消費量が計算される。このため、液体消費量計算装置の利用者は、より正確な液体の消費量を得ることが可能となる。
【手続補正５】
【補正対象書類名】明細書
【補正対象項目名】００１０
【補正方法】変更
【補正の内容】
【００１０】
［適用例４］
適用例１ないし３のいずれか一項記載の液体消費量計算装置であって、さらに、前記液体吐出装置に対応する稼働条件に関する情報を受け付ける稼働条件入力部を備え、前記計算部は、前記稼働条件入力部が前記稼働条件に関する情報を受け付ける度に、前記解析部により得られた情報を用いて、前記稼働条件下で前記出力対象を形成した場合における前記液体の消費量を再計算し、前記出力部は、前記再計算により得られた情報を用いて、前記出力情報を再生成する、液体消費量計算装置。
この構成によれば、稼働条件入力部が液体吐出装置の稼働条件の入力を受け付ける度に、当該稼働条件下における液体の消費量が再計算される。このため、液体消費量計算装置の利用者は、液体吐出装置が使用される際の条件に沿った液体の消費量を得ることが可能となる。
【手続補正６】
【補正対象書類名】明細書
【補正対象項目名】００１１
【補正方法】変更
【補正の内容】
【００１１】
［適用例５］
適用例４記載の液体消費量計算装置であって、前記液体吐出装置は、往復移動しながら液体を吐出する液体吐出部を備えるものであり、前記稼働条件には、少なくとも、前記液体吐出装置において前記出力対象が形成される時間間隔を決定する情報が含まれ、前記解析部は、前記吐出データを解析することにより、前記出力対象を形成するために要する前記液体吐出部の往復数および液体吐出回数を計算し、前記計算部は、前記液体吐出部の往復数および前記時間間隔により決定される前記液体吐出部のクリーニングおよびフラッシングの回数と、前記液体吐出回数とに基づき前記液体の消費量を計算する、液体消費量計算装置。
この構成によれば、液体吐出装置におけるクリーニングおよびフラッシングの回数と、液体吐出回数とをもとにして液体の消費量が計算される。このため、液体消費量計算装置の利用者は、正確な液体の消費量を得ることが可能となる。
【手続補正７】
【補正対象書類名】明細書
【補正対象項目名】００１２
【補正方法】変更
【補正の内容】
【００１２】
［適用例６］
適用例１ないし５のいずれか一項記載の液体消費量計算装置であって、さらに、前記吐出制御部に前記出力対象の吐出データの生成を指示する指示部を備える、液体消費量計算装置。
この構成によれば、吐出制御部は出力指示部からの指示により吐出データを生成するため、吐出制御部における吐出データ生成処理とは別に、指示部において任意の処理を行うことができる。この結果、液体消費量計算装置において実現可能な処理の拡張性を向上させることができる。
【手続補正８】
【補正対象書類名】明細書
【補正対象項目名】００１３
【補正方法】変更
【補正の内容】
【００１３】
［適用例７］
適用例１ないし６のいずれか一項記載の液体消費量計算装置であって、前記出力対象は画像であり、前記出力情報には、前記出力対象を前記液体吐出装置において形成した結果の予測を示す結果予測画像と、が含まれる、液体消費量計算装置。
この構成によれば、出力情報には、出力対象と結果予測画像とが含まれるため、利用者は、出力対象と結果予測画像とを比較することができる。この結果、液体消費量計算装置の利便性を向上させることができる。
【手続補正９】
【補正対象書類名】明細書
【補正対象項目名】００１４
【補正方法】変更
【補正の内容】
【００１４】
［適用例８］
液体の消費量を計算する液体消費量計算システムであって、液体吐出装置に接続されていない第１の装置と、前記液体吐出装置に接続されていない第２の装置と、を備え、前記第１の装置は、出力対象に関する情報を受け付ける入力部と、前記液体吐出装置に対応するもので、前記出力対象を形成した場合における液体の消費量を計算する計算部と、前記計算部により得られた情報を用いて、情報を生成する出力部と、を含み、前記第２の装置は、前記液体吐出装置に対応するもので、前記出力対象を形成するための液体の吐出データの生成を指示する指示部と、前記指示部からの指示に基づき、前記吐出データを生成する吐出制御部と、前記吐出データを解析する解析部と、を含み、前記第１の装置は、前記入力部で受け取った前記出力対象に関する情報を、前記第２の装置に送信するとともに前記第２の装置における処理の開始を要求し、前記第２の装置は、前記処理開始要求に基づき前記指示部が前記吐出制御部に指示して前記吐出データを生成し、前記解析部は、前記吐出データの解析後、解析結果を前記第１の装置へ送信し、前記解析結果を受信した前記第１の装置の前記計算部は、前記解析結果を用いて、前記液体の消費量を計算する、液体消費量計算システム。
この構成によれば、入力部と、計算部と、出力部とを含む第１の装置と、出力指示部と、吐出制御部と、解析部とを含む第２の装置によって液体の消費量を
計算する。この結果、第２の装置についてのセキュリティを向上させることができる。
【手続補正１０】
【補正対象書類名】明細書
【補正対象項目名】００１５
【補正方法】変更
【補正の内容】
【００１５】
なお、本発明は、種々の態様で実現することが可能である。例えば、本発明は、液体の消費量を計算する液体消費量計算装置、液体消費量計算システム、液体消費量計算方法のほか、それらの方法または装置の機能を実現するためのプログラム、そのプログラムを記録した記憶媒体等の形態で実現することができる。